(57)【要約】      （修正有）【課題】歯科診療などに用いる補助器具の付け替え作業を省略またはその頻度を大幅に減少できる診療用装置を提供する。【解決手段】診療者Ｐの頭部に取りつけられる固定ベルト１０と、固定ベルトに取りつけられて両側頭部付近から目前に亘ってアーチ状に位置する拡大鏡２０と、拡大鏡に取りつけられて顔面を覆う透明なシールド３０と、拡大鏡に取りつけられて患者側を照射するライト４０とを備え、ライトは診療者の眉間ないし鼻の付け根付近に位置するように取りつけられている。各補助器具が多少重量があってもその位置がずれたりぶれたりすることなくしっかりと所定の位置に保持することができる。【選択図】図１
0003211531.tif 000002
【実用新案登録請求の範囲】
【請求項１】
診療者の頭部に取りつけられる固定ベルトと、当該固定ベルトに取りつけられて前記診療者の両側頭部付近から目前に亘ってアーチ状に位置する拡大鏡と、当該拡大鏡に取りつけられて前記診療者の顔面を覆う透明なシールドと、前記拡大鏡に取りつけられて患者側を照射するライトとを備え、当該ライトは前記診療者の眉間ないし鼻の付け根付近に位置するように取りつけられていることを特徴とする診療用装置。
【請求項２】
請求項１に記載の診療用装置において、
前記拡大鏡は、前記診療者の両目に位置するレンズと、当該レンズの両側からそれぞれ前記診療者の両側頭部側に延びる一対のフレームとを有し、当該各フレームが前記固定ベルトに軸支されて跳ね上げ自在となっていることを特徴とする診療用装置。
【請求項３】
請求項２に記載の診療用装置において、
前記拡大鏡のレンズに、双眼式の拡大スコープを取りつけたことを特徴とする診療用装置。
【請求項４】
請求項２または３に記載の診療用装置において、
前記拡大鏡に、そのレンズを覆うブルーライト防止用のフィルターを取りつけたことを特徴とする診療用装置。
【考案の詳細な説明】
【技術分野】
【０００１】
本考案は、歯科医などが歯科診療の際などに用いる拡大鏡やライトなどの補助器具を一体的に備えた診療用装置に関するものである。
【背景技術】
【０００２】
一般に歯科医が診療を行う際には、切削器具や３ＷＡＹシリンジなどの直接口腔内に入れて治療するための器具の他に、その診療を安全かつ効率的に行うための補助器具が用いられている。これらの補助器具としては従来様々なものが用いられているが、その代表的なものとしては例えば患者の口腔内を観察するためのメガネ装着用の拡大鏡（特許文献１、２）や、治療時に飛散する唾液（血液）や切削片などによる飛沫感染を防止するための透明なシールド（特許文献３、４）、口腔内をスポット状に照明しながら診療を行うための頭部装着用のヘッドライト（特許文献５）などがある。
【先行技術文献】
【特許文献】
【０００３】
【特許文献１】特開２００３−２０７７２３号公報
【特許文献２】特開２０１１−２６４２号公報
【特許文献３】特開２０００−１７５９５６号公報
【特許文献４】特開２０１６−１３１７２５号公報
【特許文献５】特開２０１５−２２８３４７号公報
【考案の概要】
【考案が解決しようとする課題】
【０００４】
ところで、前述したような補助器具を用いて診療を行う場合には、その診療内容に応じてそれらの補助器具を適宜交換ないし装着し直さなくてはならないため、診療に要する作業効率が良くない。例えば虫歯の位置やその状態を診察する際には、拡大鏡やスポット照明を用いることになるが、その後に歯を切削する際には拡大鏡に替えて飛沫を防止するためのシールドを頭部に装着することになる。さらにその後のＣＲ充填時の辺縁の状態や根管治療時にはシールドを外して可変式の拡大スコープに装着し直す必要があり、それらの付け替え作業は極めて面倒である。
【０００５】
そこで、本考案はこれらの課題を解決するために案出されたものであり、その主な目的は、歯科診療などに用いる補助器具の付け替え作業を省略またはその頻度を大幅に減少できる新規な診療用装置を提供するものである。
【課題を解決するための手段】
【０００６】
前記課題を解決するために第１の考案は、診療者の頭部に取りつけられる固定ベルトと、当該固定ベルトに取りつけられて前記診療者の両側頭部付近から目前に亘ってアーチ状に位置する拡大鏡と、当該拡大鏡に取りつけられて前記診療者の顔面を覆う透明なシールドと、前記拡大鏡に取りつけられて患者側を照射するライトとを備え、当該ライトは前記診療者の眉間ないし鼻の付け根付近に位置するように取りつけられていることを特徴とする診療用装置である。
【０００７】
このような構成によれば、診療者の頭部に取りつけられる固定ベルトに各種の補助器具がまとめて取りつけられているため、歯科診療などに要する補助器具の付け替え作業を省略またはその頻度を大幅に減少できる。さらに、患者側を照射するライトが診療者の眉間ないし鼻の付け根付近に位置するように取りつけられているため、視界を邪魔することなく、視線とほぼ同じ方向を確実に照明することができる。また、診療者の頭部に取りつけられる固定ベルトに各種の補助器具を取りつけることによって各器具が多少重量があってもその位置がずれたりぶれたりすることなくしっかりと所定の位置に保持することができる。
【０００８】
第２の考案は、第１の考案において、前記拡大鏡は、前記診療者の両目に位置するレンズと、当該レンズの両側からそれぞれ前記診療者の両側頭部側に延びる一対のフレームとを有し、当該各フレームが前記固定ベルトに軸支されて跳ね上げ自在となっていることを特徴とする診療用装置である。このような構成によれば、拡大鏡を跳ね上げるだけでこれに取りつけられているすべての器具を診療者の目前から除去するように上方に移動させることができる。また、跳ね上げた拡大鏡を元に戻すことですべての器具を瞬時に所定の位置にセットすることができる。
【０００９】
第３の考案は、第２の考案において、前記拡大鏡のレンズに、双眼式の拡大スコープを取りつけたことを特徴とする診療用装置である。このような構成によれば、さらに双眼式の拡大スコープを用いた診療に際してその器具の付け替え作業を省略することができる。
【００１０】
第４の発明は、第２または第３の考案において、前記拡大鏡に、そのレンズを覆うようにブルーライト防止用のフィルターを取りつけたことを特徴とする診療用装置である。このような構成によれば、さらに診療に際して発生する短波長の可視光である有害なブルーライトを軽減することができる。
【考案の効果】
【００１１】
本考案によれば、診療者の頭部に取りつけられる固定ベルトに各種の補助器具がまとめて取りつけられているため、歯科診療などに用いる補助器具の付け替え作業を省略またはその頻度を大幅に減少できる。さらに、この患者側を照射するライトが診療者の眉間ないし鼻の付け根付近に位置するように取りつけられているため、視界を邪魔することなく、視線とほぼ同じ方向を確実に照明することができる。また、診療者の頭部に取りつけられる固定ベルトに各種の補助器具を取りつけることによって各器具が多少重量があってもその位置がずれたりぶれたりすることなくしっかりと所定の位置に保持することができる。
【図面の簡単な説明】
【００１２】
【図１】本考案に係る診療用装置１００の実施の一形態を示す斜視図である。
【図２】診療時における診療用装置１００の状態を示す説明図である。
【図３】診療用装置１００の動きを示す説明図である。
【図４】本考案に係る診療用装置１００の他の実施形態を示す斜視図である。
【図５】拡大スコープ５０の動きを示す説明図である。
【図６】本考案に係る診療用装置１００の他の実施形態を示す斜視図である。
【図７】ブルーライト防止用のフィルター６０の動きを示す説明図である。
【考案を実施するための形態】
【００１３】
以下、本考案の実施の形態を添付図面を参照しながら説明する。図１は本考案に係る診療用装置１００の実施の一形態を示したものである。図示するようにこの診療用装置１００は、診療者Ｐの頭部に取りつけられる固定ベルト１０と、この固定ベルト１０に取りつけられた拡大鏡２０と、この拡大鏡２０に取りつけられた透明なシールド３０と、この拡大鏡２０に取りつけられたＬＥＤライト４０とから主に構成されている。
【００１４】
固定ベルト１０は、診療者Ｐの前頭部（額）から両側頭部に亘って延びるベルト本体１１と、このベルト本体１１の両端部をその後頭部側で環状に連結する後頭部連結帯１２と、このベルト本体１１の両側頭部同士を頭頂部側で連結する頭頂部連結帯１３とから構成されている。そして、この後頭部連結帯１２および頭頂部連結帯１３は、それぞれ脱着可能な面ファスナー１２ａ、１３ａが備えられており、この面ファスナー１２ａ、１３ａを所定の長さで接着させることで図示するように診療者Ｐの頭部にベルト本体１１をしっかりと固定できるようになっている。
【００１５】
拡大鏡２０は、一端が前記固定ベルト１０の側頭部付近に軸支された一対のフレーム２１，２１と、これらフレーム２１，２１の先端間に設けられた短冊状をしたプラスチック製のレンズ２２とから構成されている。そして、この拡大鏡２０が診療者Ｐの両側頭部付近から目前に亘ってアーチ状に位置することで診療者Ｐがその目前に位置するレンズ２２を通して口腔内の任意の部位を拡大視認できるようになっている。
【００１６】
また、この拡大鏡２０は、そのフレーム２１，２１の固定ベルト１０側の連結部分を軸として上下方向に揺動自在となっている。そして、このフレーム２１，２１の連結部分は、それぞれねじ部材２３と、ベルト本体１１側に設けられた図示しないナット部材とから構成されており、このねじ部材２３を締め付けたり、緩めたりすることでフレーム２１，２１を任意の角度でしっかりとベルト本体１１に固定できるようになっている。
【００１７】
シールド３０は、軽量で強度が高い透明板３１、例えばアクリル板や塩ビ透明板、ポリカ透明板、ペット透明板などのプラスチックから形成されており、図示するように拡大鏡２０のレンズ２２部分の上下からその両側のフレーム２１，２１の接続部分までの領域を広く覆うような大きさになっている。そして、この透明板３１は、固定ねじ３２によってフレーム２１，２１に一体的に取りつけられている。また、この透明板３１の正面部分には拡大鏡２０のレンズ２２の形状に合わせて形成した開口部３３が形成されており、レンズ２２の視界を妨げないようになっている。
【００１８】
ＬＥＤライト４０は、拡大鏡２０のレンズ２２に取りつけられた筒状のライト本体４１と、このライト本体４１に給電するケーブル４２と、図示しないバッテリーおよび電源スイッチとから構成されており、そのライト本体４１の正面から照射される光によって患者の口腔内の任意の部位をスポット状に照明するようになっている。そして、このライト本体４１は、レンズ２２の中央の下縁部に取りつけられたステー４３に軸支されており、この軸支部分を軸として上下に揺動自在となっている。
【００１９】
なお、このライト本体４１とステー４３との連結にユニバーサルジョイントを用いることでライト本体４１の先端が上下方向のみならず左右方向にも揺動自在としても良い。さらにケーブル４２は、図示するようにレンズ２２の中央部分からそのままシールド３０の上端側に延び、そのまま診療者Ｐの頭頂部を通過してその後方に配線する他に、視界を妨げないようにレンズ２２の縁部からフレーム２１，２１に沿って配線したり、そのままシールド３０の下方に垂らすように配線しても良い。
【００２０】
このような構成をした本考案に係る診療用装置１００によれば、診療者Ｐの目前に位置する拡大鏡２０によって患者の口腔内の任意の部位を拡大観察できると共に、シールド３０によって治療時に飛散した飛沫が診療者Ｐの目や顔面に直接付着するのを確実に防止することができる。さらに、同時にＬＥＤライト４０によって患者の口腔内の任意の部位をスポット状に照明することができる。
【００２１】
そして、これら拡大鏡２０と、シールド３０と、ＬＥＤライト４０といった各種の補助器具を診療者Ｐの頭部に取りつけられる固定ベルト１０に対してまとめて取りつけたため、診療中においてはこれら各種補助器具の付け替え作業を省略またはその頻度を大幅に減少できる。また、これらの補助器具を診療者Ｐの頭部に取りつけられる固定ベルト１０に取りつけることによって各器具が多少重量があってもその位置がずれたりぶれたりすることなくしっかりと所定の位置に保持することができる。
【００２２】
すなわち、実際の歯科の診療は図２に示すように診療者Ｐが診察台に仰向けに横たわっている患者（図示せず）に対してその上方からうつむき加減の姿勢で診療を行うことになる。このような姿勢では診療者Ｐの目前に各種の補助器具の重量が集中するため、引用文献に示すような耳に掛けるめがね型のフレームでは、その重さに耐えきれずにぐらついたり、落下してしまうおそれがあるが、本考案の診療用補助器具１００では診療者Ｐの頭部に取りつけられる固定ベルト１０に各種の器具を取りつけることによってしっかりと固定することができる。
【００２３】
また、図１に示すようにこのＬＥＤライト４０のライト本体４１を拡大鏡２０のレンズ２２の中央の下縁部に取りつけることによってそのライト本体４１が診療者Ｐの眉間ないし鼻の付け根付近に位置するようになるため、診療者Ｐの視界を邪魔することない。また、その視線とほぼ同じ方向に光を照射できるため、口唇などの影が生ずることなく目的の部位を確実に照明することができる。さらに、図示するようにこのＬＥＤライト４０のライト本体４１は、その連結部を軸に上下左右方向に揺動自在となっているため、照明方向を自在に調整できる。
【００２４】
また、この拡大鏡２０は、レンズ２２の両側からそれぞれ診療者Ｐの両側頭部側に延びる一対のフレーム２１、２１が固定ベルト１０に軸支されていることから、診療を中断するときには図３に示すように拡大鏡２０を上方に跳ね上げるように動かすだけでこれに取りつけられているすべての器具を診療者Ｐの目前から一気に除去することができる。また、診療を再開するときには、跳ね上げた拡大鏡２０を元に戻す（降ろす）だけですべての器具を瞬時に所定の位置にセットすることができる。
【００２５】
次に、図４乃至図７は本考案に係る診療用装置１００の他の実施の形態を示したものである。先ず、図４および図５は前述した構成にさらに拡大スコープ５０を加えたものである。この拡大スコープ５０は、例えばＣＲ充填時の辺縁の状態や根管治療時などに拡大鏡２０と共に用いるものであり、双眼式の拡大スコープ本体５１と、クリップ５２とから構成されている。そして、図示するようにこのクリップ５２を拡大鏡２０のレンズ２２の中央上縁部に取りつけ、このクリップ５２に拡大スコープ本体５１を上下方向に揺動自在に取りつけたものである。
【００２６】
このような構成することにより、さらに双眼式の拡大スコープ５０を用いた診療に際してその器具の付け替え作業を省略することができる。また、この拡大スコープ５０のみが不要の際には図５に示すようにその拡大スコープ本体５１部分を上方に跳ね上げるように移動させれば、拡大鏡２０の視界を妨げることもない。
【００２７】
次に、図６および図７は、前述した構成にさらにブルーライト防止用のフィルター６０を加えたものである。このフィルター６０は、それぞれ左右一対のフィルターレンズ６１、６１とステー６２，６２とから構成されており、フレーム２１，２１側に各ステー６２、６２を取りつけると共に、これら各ステー６２、６２に対して各フィルターレンズ６１，６１が揺動自在に取りつけたものである。
【００２８】
そして、図６に示すようにこのフィルターレンズ６１、６１をフレーム２１、２１と平行になるように位置させれば、通常の診療の際には拡大鏡の視界を妨げることがなく、また、照明の影響などによってブルーライト成分（波長380〜500nm）を有する反射光などが生ずる場合には、図７に示すようにそのフィルターレンズ６１、６１を内側に揺動して拡大鏡２０のレンズ２２の前面を覆うようにして用いることになる。
【００２９】
このようにすれば、短波長の可視光である有害なブルーライトを確実に遮断できるため、診療者Ｐに対するブルーライトによる悪影響を回避することができる。なお、このブルーライト防止用のフィルター６０は、そのレンズ２２が揺動自在となっていて他の器具と干渉することがないため、前述した拡大スコープ５０と共に取りつけても良い。また、本実施の形態では主に歯科診療で用いる例で示したが、本考案の診療用補助器具１００は歯科診療に限らず、その他の外科診療や手術などにもそのまま用いることができる。
【符号の説明】
【００３０】
１００…診療用装置
１０…固定ベルト
２０…拡大鏡
２１…フレーム
２２…レンズ
３０…シールド
４０…ＬＥＤライト
５０…拡大スコープ
６０…ブルーライト防止用フィルター
Ｐ…診療者
【図１】
0003211531.tif 000003
【図２】
0003211531.tif 000004
【図３】
0003211531.tif 000005
【図４】
0003211531.tif 000006
【図５】
0003211531.tif 000007
【図６】
0003211531.tif 000008
【図７】
0003211531.tif 000009